(57)【要約】【課題】  容易にライトストリングとライトストリングとを連続的に接続することができるように改良された３方向コネクタを提供すること。【解決手段】  ３方向コネクタは、それぞれに２つの電線（１１）が受け入れられた２つの電源コード（１０）と、一方の電源コードからの各電線と他方の電源コードからの各電線とをそれぞれ結合するために設けられた２つの接続板（１２）と、２つの接続板にそれぞれ接続され、また、各電源コードの電線に対して下方に伸びる２つの管状の延長部（１３）と、電源コードと接続板とを囲むケーシング（２０）とを含む。ケーシングは、２つの管状の延長部をそれぞれ受け入れるように形成された２つのスロット（２２）を有する延長部（２３）を備える。ライトストリング（４０）のプラグの２つの脚部が、電力を得るために電線と接続されるように２つのスロット内にそれぞれ伸びることができる。【選択図】  図１
0003102129.tif 000002
【実用新案登録請求の範囲】
【請求項１】
それぞれに２つの電線が受け入れられた２つの電源コードと、
一方の電源コードからの各電線と他方の電源コードからの各電線とをそれぞれ結合するために設けられた２つの接続板と、
前記２つの接続板にそれぞれ接続され、また、各電源コードの電線に対して下方に伸びる２つの管状の延長部と、
前記電源コードと前記接続板とを囲むケーシングであって、前記２つの管状の延長部をそれぞれ受け入れるように形成された２つのスロットを有する延長部を備えるケーシングとを含み、
ライトストリングのプラグの２つの脚部が、電力を得るために前記電線と接続されるように前記２つのスロット内にそれぞれ伸びることができる、３方向コネクタ。
【請求項２】
前記ケーシングの外周にボスが形成され、該ボスに貫通孔が設けられており、前記貫通孔を介して適当な面上に吊されるかまたは掛けられることができる、請求項１に記載の３方向コネクタ。
【請求項３】
外周に形成された２つの棚部分であって該２つの棚部分の間に前記ケーシングを受け入れるように互いに離間した２つの棚部分を有するくぎ部を備え、これにより、前記くぎ部によって面に強固に固定されることができる、請求項１に記載の３方向コネクタ。
【考案の詳細な説明】
【技術分野】
【０００１】
本考案は、３方向コネクタに関し、特に、ライトストリングを必要な長さに延長することができる、ライトストリング用３方向コネクタに関する。
【背景技術】
【０００２】
ライトストリングは、電線によって互いに電気的に接続された複数の小型電球を含む。ユーザーは、祭礼の雰囲気、特に、クリスマスの季節における祭礼の雰囲気を高めるべく、ライトストリングの長さに応じて樹木または屋根にライトストリングを掛けまたは吊すことができる。しかし、ライトストリングは独立した電源を必要とするので、ライトストリングが広い面積にわたるようにするためには、ユーザーは複数の電源ソケットを準備しなければならない。または、ユーザーは、電源のために、電源ソケットをそれぞれ有する複数の延長用電線を用意しなければならない。複数の電源ソケットを用いた場合には、電源ソケットのために空間が必要であることや電線がもつれやすいことのために、複数の電源ソケットの保管がユーザーにとって大きな問題になる。これに代わる手段や方法を採用した場合であっても、ユーザーは、延長用電線のもつれやすさの問題に直面しなければならない。これに加え、飾り付けを準備するための費用が延長用電線のような付属品によって増す。
【考案の開示】
【考案が解決しようとする課題】
【０００３】
本考案の目的は、前記した問題や不都合な点を克服または軽減するために、改良されたコネクタを提供することにある。
【０００４】
本考案の目的は、容易にライトストリングとライトストリングとを連続的に接続することができるように改良された３方向コネクタを提供することにある。
【０００５】
本考案の他の目的は、３方向コネクタを容易に互いに電気的に接続可能にして３方向コネクタを容易に要求のとおりのいかなる長さにも延長可能にし、これによって、ユーザーが３方向コネクタを必要な長さに延長することができる、３方向コネクタを提供することにある。
【課題を解決するための手段】
【０００６】
本考案に係る３方向コネクタは、それぞれに２つの電線が受け入れられた２つの電源コードと、一方の電源コードからの各電線と他方の電源コードからの各電線とをそれぞれ結合するために設けられた２つの接続板と、前記２つの接続板にそれぞれ接続され、また、各電源コードの電線に対して下方に伸びる２つの管状の延長部と、前記電源コードと前記接続板とを囲むケーシングであって、前記２つの管状の延長部をそれぞれ受け入れるように形成された２つのスロットを有する延長部を備えるケーシングとを含み、ライトストリングのプラグの２つの脚部が、電力を得るために前記電線と接続されるように前記２つのスロット内にそれぞれ伸びることができる。
【０００７】
好ましくは、前記ケーシングの外周にボスが形成され、該ボスに貫通孔が設けられており、前記貫通孔を介して適当な面上に吊されるかまたは掛けられることができる。
【０００８】
好ましくは、外周に形成された２つの棚部分であって該２つの棚部分の間に前記ケーシングを受け入れるように互いに離間した２つの棚部分を有するくぎ部を備え、これにより、前記くぎ部によって面に強固に固定されることができる。
【０００９】
本考案の他の特徴および利点は、添付図面を参照しての以下の説明からさらに明らかになろう。
【考案を実施するための最良の形態】
【００１０】
図１および２を参照するに、本考案に係る３方向コネクタは、電源コード１０（好ましい実施例においては２つの電源コードを有する。）と、電源コード１０の延長を許すように互いに通じる２つの開放端２１を有するケーシング２０と、電源コード１０に受け入れられた２つの電線１１に接続するように、ケーシング２０と共に形成された延長部２３に形成された２つのスロット２２とを含む。外ねじ部２３１が延長部２３の外周に形成されている。ボス２４がケーシング２０の外面に前記延長部の反対側となるように形成されている。ボス２４には該ボスを貫通する貫通孔２４１が形成されている。
【００１１】
異なる開放端からケーシング２０内に伸びる２つの電源コード１０ａ、１０ｂが設けられている。各電源コード１０ａ、１０ｂは、電源コード１０ａの２つの電線１１を電源コード１０ｂの２つの電線１１にそれぞれ接続すべく接続板１２をはんだづけまたはその他の方法により結合することにより、互いに接続されている。導電材料からなる管状の延長部１３が、延長部２３の対応するいずれかのスロット２２内へと下方に延長されるように接続板１２に形成されている。
【００１２】
図３に、本考案に係る３方向コネクタが、２つの管状の延長部１３にそれぞれ対応する２つの脚部３１と、内ねじ部３２１が内面に形成されたキャップ部３２とを有するプラグ３０を備えるライトストリングに適用された例を示す。
【００１３】
２つの脚部３１がこれらに対応する管状の延長部１３内に挿入された後、２つの脚部３１は接続板１２を介して電源コード１０ａ、１０ｂの２つの電線１１に電気的に接続される。したがって、複数のライトストリングは、本考案に係る３方向コネクタによって互いに接続される。さらに、貫通孔２４１は、本考案に係る３方向コネクタを適当な形状、例えば、屋根に沿って垂らすためにユーザーが留め具（図示せず）を用いることを可能にする。これによって、本考案に係る３方向コネクタを複数連続して接続した場合に該複数のライトストリングの接続のために必要な電源はただ一つのみである。
【００１４】
図５および図６を参照するに、本考案の他の実施例においては、ケーシング２０はくぎ部２６を備え、くぎ部２６は、互いに距離をおいてくぎ部２６に形成された２つの棚部分２６１を有する。
【００１５】
ユーザーによりケーシング２０が前記２つの棚部分の間の空間に受け入れられたとき、本考案に係る３方向コネクタが強固に面に固定されるように、２つの棚部分２６１間に形成された空間はケーシング２０を前記空間に収容するように形成されている。これにより、ネオン灯４０、すなわち、ライトストリングを電気的に接続するために延長部２３に接続することができる。
【００１６】
本考案の種々の特徴及び利点を構造及び機能の詳細と共に前述したが、詳細において、特に、部品の形状、寸法および配置の事項に関して変更が可能であることは、当該技術分野の知識を有する者にとって明らかである。
【図面の簡単な説明】
【００１７】
【図１】本考案に係る３方向コネクタの実施例を示す斜視図。
【図２】図１に示す３方向コネクタの断面図。
【図３】本考案に係る３方向コネクタと、ライトストリングに形成された電源コネクタとの結合を示す断面図。
【図４】本考案に係る３方向コネクタとライトストリングとの結合例を示す概略図。
【図５】本考案に係る３方向コネクタの他の実施例を示す斜視図。
【図６】本考案に係る３方向コネクタの他の実施例の応用例を示す概略図。
【符号の説明】
【００１８】
１０、１０ａ、１０ｂ  電源コード
１１  電線
１２  接続板
１３、２３  延長部
２０  ケーシング
２１  開放端
２２  スロット
２３１  外ねじ部
２４  ボス
２４１  貫通孔
２６  くぎ部
２６１  棚部分
３０  プラグ
３１  脚部
３２  キャップ部
３２１  内ねじ部
４０  ネオン灯
【図１】
0003102129.tif 000003
【図２】
0003102129.tif 000004
【図３】
0003102129.tif 000005
【図４】
0003102129.tif 000006
【図５】
0003102129.tif 000007
【図６】
0003102129.tif 000008